(57)【特許請求の範囲】
【請求項１】
撮像装置本体に対して、ビューファインダーが、第１の状態と第２の状態との間で回動可能に取り付けられた撮像装置であって、
前記ビューファインダーを回動軸によって回動可能に支持するスライド部材と、
前記撮像装置本体に固定され、前記スライド部材を前記撮像装置本体に対してスライド可能に支持する支持部材とを備え、
前記ビューファインダーが、前記第１の状態から前記第２の状態へ回動される際、前記ビューファインダーが備えるカム突起のカム面が、前記支持部材が備える摺接突起に対して摺動することにより、前記ビューファインダーは、前記撮像装置本体との間隙が狭まるようにスライドされる、
撮像装置。
【請求項２】
前記ビューファインダーが、前記第１の状態から前記第２の状態へ回動される際、前記ビューファインダーは、前記第２の状態において前記ビューファインダーの上面を外装する第１の外装部材と、前記撮像装置本体の上面を外装する第２の外装部材との間隙が狭まるようにスライドされる、
請求項１に記載の撮像装置。
【請求項３】
さらに、前記ビューファインダーが、前記第１の状態から、前記カム面と前記摺接突起とが当接するまでの間、前記スライド部材が、前記支持部材に対してスライドしないよう固定する固定部材を備える、
請求項１に記載の撮像装置。
【発明の詳細な説明】
【技術分野】
【０００１】
本開示は、可動式のビューファインダーを備えたデジタルカメラ等の撮像装置に関する。
【背景技術】
【０００２】
特許文献１は、可動式のビューファインダーを備えたデジタルカメラを開示する。特許文献１に開示されたデジタルカメラにおいては、２点支軸回転機構を用いて、ビューファインダーが回動自在となるように構成されている。
【先行技術文献】
【特許文献】
【０００３】
【特許文献１】特開平８−２１４１９４号公報
【発明の概要】
【発明が解決しようとする課題】
【０００４】
本開示は、簡単な機構により、ビューファインダーを撮像装置本体に対して回動させつつスライドさせることにより、ビューファインダーと撮像装置本体との間隙を狭めることのできる撮像装置を提供する。
【課題を解決するための手段】
【０００５】
本開示における撮像装置は、撮像装置本体に対して、ビューファインダーが、第１の状態と第２の状態との間で回動可能に取り付けられており、ビューファインダーを回動軸によって回動可能に支持するスライド部材と、撮像装置本体に固定され、スライド部材を撮像装置本体に対してスライド可能に支持する支持部材とを備える。ビューファインダーが、第１の状態から第２の状態へ回動される際、ビューファインダーは、撮像装置本体との間隙が狭まるようにスライドされる。
【発明の効果】
【０００６】
本開示における撮像装置においては、簡単な機構によって、ビューファインダーを撮像装置本体に対して回動させつつスライドさせることにより、ビューファインダーと撮像装置本体との間隙を狭めることができる。
【図面の簡単な説明】
【０００７】
【図１】本実施形態のデジタルカメラを示す斜視図
【図２】本実施形態においてビューファインダーが直立状態であるときの断面図
【図３】本実施形態においてビューファインダーを水平状態へ回動させる途中の状態を示した断面図
【図４】本実施形態においてビューファインダーが水平状態であるときの断面図
【図５】本実施形態のデジタルカメラを示す斜視図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
以下、図１〜５を用いて、実施の形態を説明する。
【００１１】
以下の説明では、図１に示したように、カメラ本体１１０の中心からレンズ部を通じて被写体に至る方向を前方向、その反対方向を後方向とする。カメラ本体１１０の中心からビューファインダー１２０が取り付けられている面の方向を上方向、その反対方向を下方向とする。デジタルカメラ１００の前方向を被写体に、下方向を垂直方向に合わせた際に、使用者の左側となる方向を左方向、その反対方向を右方向とする。
【００１２】
図１は、本実施形態のデジタルカメラ１００を示す斜視図である。デジタルカメラ１００は、カメラ本体１１０と、カメラ本体１１０に対して回動可能に取り付けられたビューファインダー１２０とを備える。カメラ本体１１０は、レンズ部、シャッターボタンなどを備える。ビューファインダー１２０は、第１の状態と、第１の状態とはカメラ本体１１０とビューファインダー１２０とのなす角度が異なる第２の状態との間で、手動により自在に回動できるように支持されている。第１の状態には、例えば、図１に示されるように、ビューファインダー１２０が、デジタルカメラ１００の光軸に対して垂直となり、デジタルカメラ１００の使用者の視線の方向が下方向となる状態（以下、直立状態ともいう）が対応する。第２の状態には、例えば、直立状態に対して、ビューファインダー１２０を９０°回動させて、デジタルカメラ１００の光軸とビューファインダー１２０とが平行となり、デジタルカメラ１００の使用者の視線の方向が前方向となる状態（以下、水平状態ともいう）が対応する。
【００１３】
図２は、本実施形態のデジタルカメラ１００において、ビューファインダー１２０の直立状態を左方向からみた断面図である。ビューファインダー１２０は、回動軸１２３によって、スライド部材としてのスライド枠体１２４に対して回動できるように支持されている。スライド枠体１２４には、長孔状のスライド孔１２５が複数設けられている。スライド孔１２５は、デジタルカメラ１００の前後方向に延びる長孔状の形状となるようにスライド枠体１２４に形成されている。スライド孔１２５の長手方向の長さは、ビューファインダー１２０をスライドさせる距離に応じて設定される。スライド孔１２５の各々には、支持部材としての支持枠体１１２に固定された支持ピン１１３が挿通されている。支持ピン１１３は、円形の断面形状を有し、カメラ本体１１０の左右方向に突出するように設けられており、スライド孔１２５の長手方向に沿って直線的にスライドすることができる。支持ピン１１３が固定されている支持枠体１１２は、カメラ本体１１０に固定されている。これにより、スライド枠体１２４は、スライド孔の長手方向の長さに応じて、カメラ本体１１０に対して前後方向に直線的にスライドすることができる。
【００１４】
図２に示されるように、ビューファインダー１２０には、回動軸１２３の近傍に外装部材１２１が装着されている。外装部材１２１は、ビューファインダー１２０が水平状態となるように回動されると、デジタルカメラ１００の上方の面を構成するように配置されている。カメラ本体１１０のうち、支持枠体１１２が固定されている箇所の前方は、外装部材１１１によって外装されている。ビューファインダー１２０に設けられた外装部材１２１には、上方の面である外装面とは反対側の面に、カム面１２２ａを備えたカム突起１２２が設けられている。カム突起１２２は、外装部材１２１から下方向に突出する略台形の断面形状を有しており、台形の脚の一方に相当する面がカム面１２２ａを構成している。カム面１２２ａは、デジタルカメラ１００の上後方から、下前方に向かう傾斜面として構成されている。支持枠体１１２には、摺接突起としての摺接ピン１１４が設けられている。摺接ピン１１４は、ビューファインダー１２０が直立状態から水平状態となるように回動させていく途中で、カム面１２２ａに当接するように配置されている。スライド枠体１２４と支持枠体１１２との間には、ばね１２６が配置されており、ばね１２６によって、スライド枠体１２４は、支持枠体１１２に対して後方向に付勢されている。ビューファインダー１２０の直立状態においては、ばね１２６によりスライド枠体１２４が後方向に付勢されることにより、支持ピン１１３はスライド孔１２５の前端に当接し、スライド枠体１２４は、支持枠体１１２に対して最も後方に位置する。
【００１５】
図３は、本実施形態のデジタルカメラ１００において、ビューファインダー１２０を直立状態から水平状態に回動させる途中の状態を示した断面図である。図３では、図２に示したビューファインダー１２０の直立状態から、カム突起１２２のカム面１２２ａが摺接ピン１１４に当接するまで、ビューファインダー１２０を、回動軸１２３を中心に後方向へ回動させた状態が示されている。図３では、この途中の状態におけるビューファインダー１２０が備える外装部材１２１の前端と、カメラ本体１１０が備える外装部材１１１の後端との間隙を、Ａで示している。
【００１６】
図３に示した状態から、さらにビューファインダー１２０が、回動軸１２３を中心に下方向に回動されると、回動に伴って、摺接ピン１１４が、カム突起１２２のカム面１２２ａ上を摺動して、スライド枠体１２４は、支持枠体１１２に対し図３において矢印ｃで示される方向にスライドする。ビューファインダー１２０は、ビューファインダー１２０が備える外装部材１２１の前端と、カメラ本体１１０外装部材１１１の後端との間隙は、図３に示した間隔Ａから狭められる。
【００１７】
本実施形態のデジタルカメラ１００においては、ビューファインダー１２０の直立状態から、回動軸１２３を中心にビューファインダー１２０を回動させて、カム突起１２２のカム面１２２ａが摺接ピン１１４に当接するまでの間は、スライド枠体１２４が支持枠体１１２に対してスライドしないように固定する固定部材を備えることができる。固定部材は、例えば、カム面１２２ａが摺接ピン１１４に当接しない状態においては、スライド孔１２５に係合してスライド枠体１２４が支持枠体１１２に対してスライドするのを阻止し、カム面１２２ａが摺接ピン１１４に当接することで、スライド孔１２５への係合が解除されてスライド枠体１２４のスライドを可能にするように構成された薄板状の板金部材によって構成することができる。
【００１８】
図４は、本実施形態のデジタルカメラ１００において、ビューファインダー１２０が水平状態であるときの断面図である。ビューファインダー１２０の水平状態においては、摺接ピン１１４は、カム面１２２ａにおける摺接ピン１１４の摺動範囲のうち、回動軸１２３から最も離れた端部でカム突起１２２に摺接している。水平状態では、支持ピン１１３はスライド孔１２５の後端に当接ないし近傍にまで移動し、スライド枠体１２４は、支持枠体１１２に対して最も前方に位置している。図４では、ビューファインダー１２０が備える外装部材１２１の前端と、カメラ本体１１０が備える外装部材１１１の後端との間隙をＢで示している。図４に示したビューファインダー１２０が水平状態であるときの間隔Ｂは、図３に示した途中の状態における間隔Ａよりも、スライド枠体１２４がカメラ本体１１０に対して前方にスライドした距離に応じて短くなっている。
【００１９】
図４に示したビューファインダー１２０の水平状態から、図２に示したビューファインダー１２０の直立状態へ回動させる場合は、上述したのとは反対の動作によって、ビューファインダー１２０を上方向に回動させるのに伴い、図３に示した途中の状態に達するまで、ビューファインダー１２０が備える外装部材１２１の前端と、カメラ本体１１０外装部材１１１の後端との間隙が広げられるように後方向にスライドされる。図３に示した途中の状態から、回動軸１２３を中心に上方向に回動されると、ビューファインダー１２０は、図２に示した直立状態となる。
【００２０】
図５は、本実施形態のデジタルカメラ１００を示す斜視図である。図５において、ビューファインダー１２０は水平状態になされている。本実施形態のデジタルカメラ１００では、図５に示した水平状態において、ビューファインダー１２０が備える外装部材１２１の前端と、カメラ本体１１０が備える外装部材１１１の後端との間隙は極めて狭くなり、外観上ほとんど目立たなくなっている。
【００２１】
以上のように、本実施形態のデジタルカメラ１００においては、１本の回動軸に基づく回動機構と、スライド機構とを組み合わせた簡単な機構によって、ビューファインダーを回動させつつスライドさせ、撮像装置本体とビューファインダーとの間隙を狭めることができる。また、スライド機構として、ビューファインダー１２０が備えるカム突起１２２と、支持枠体１１２が備える摺接ピン１１４を利用すると、機構のコンパクト化を図ることもできる。本実施形態のデジタルカメラ１００においては、特許文献１に記載された先行技術のように、複数の回動軸を組み合わせた複雑な機構を利用する必要はない。
【００２２】
以上の実施形態においては、デジタルカメラ１００を例にして説明した。しかしながら、本実施形態の撮像装置としては、特に限定されるものではなく、スチルカメラ、ムービーカメラなど、可動式のビューファインダーを備える各種撮像装置に適用することができる。
【００２３】
なお、上述の実施の形態は、本開示における技術を例示するためのものであるから、特許請求の範囲またはその均等の範囲において種々の変更、置き換え、付加、省略などを行うことができる。
【産業上の利用可能性】
【００２４】
本開示は、可動式のビューファインダーを備えた撮像装置に適用することができる。
【符号の説明】
【００２５】
１００  デジタルカメラ
１１０  カメラ本体
１１１  外装部材
１１２  支持枠体
１１３  支持ピン
１１４  摺接ピン
１２０  ビューファインダー
１２１  外装部材
１２２  カム突起
１２２ａ  カム面
１２３  回動軸
１２４  スライド枠体
１２５  スライド孔
１２６  ばね
【図１】
0006524413.tif 000002
【図２】
0006524413.tif 000003
【図３】
0006524413.tif 000004
【図４】
0006524413.tif 000005
【図５】
0006524413.tif 000006